(57)【要約】【課題】記具の見やすい位置に二次元コードを設けることを可能とし、且つ読み取りに不具合が生じにくい構造の二次元コード付の筆記具を提供する。【解決手段】クリップ４を軸筒３の側面に設けた支持部３ａに、クリップ４と軸筒３との間に介在させた弾発部材５によってクリップ４の先端部４ｄが軸筒３の側面に常時弾発するよう装着した構造のクリップ付の筆記具１であって、クリップ４の表面に平坦部４ｅを形成し、平坦部４ｅに二次元コード７を設ける。【選択図】図１
2011224887.tif 000002
【特許請求の範囲】
【請求項１】
クリップを軸筒の側面に設けた支持部に、前記クリップと前記軸筒との間に介在させた弾発部材によって前記クリップの先端部が前記軸筒の側面に常時弾発するよう装着した構造のクリップ付の筆記具であって、前記クリップの表面に平坦部を形成し、前記平坦部に二次元コードを設けたことを特徴とする二次元コード付の筆記具。
【発明の詳細な説明】
【技術分野】
【０００１】
本発明は、二次元コード付の筆記具に関するものである。
【背景技術】
【０００２】
従来より筆記具は多くの人に使われる機会が多いことから、企業名や団体名等の印刷、いわゆる名入れを施してノベルティとして利用されることが多い。また最近では、各企業や各団体でインターネット上のホームページを有することが多く、名入れとしてホームページのアドレスを筆記具に印刷する場合も多い。また近年では、ＱＲコード（登録商標）等の、明暗模様の単位セルがマトリックス状に配置された二次元コードが知られており、この二次元コードに、ホームページのアドレス情報を入れたものが多く利用されている。
また近年の携帯電話には、二次元コードの読み取り機能やインターネット機能がついたものが多くなっており、ホームページのアドレス情報が入った二次元コードを、携帯電話の二次元コードの読み取り機能を用いて読み取り、読み取ったアドレスにてそのままインターネットのホームページにアクセスするといったことを容易に行うことができるようになっている。したがって二次元コードは、ホームページのアドレスを入力するといった手間を省略することができる利便性があることから、この二次元コードを筆記具に名入れできるようにすることが求められている。
【０００３】
一方、名入れとして用いられることが多い筆記具は、寸法的に小さく軸筒が曲面になっていることから、二次元コードとしての機能を考慮すると印刷箇所や印刷精度に配慮する必要があり、デザインを考慮して二次元コードを小さくし過ぎた場合には、携帯電話の読み取り機能に不具合を生じさせ、また軸筒の軸径が小さい筆記具では、軸筒の曲面に沿って丸まった二次元コードが読み取りできないことがあった。また筆記具におけるクリップは、名入れをした場合に見やすい部分であることから、実開平７−１２２８９号公報に見られるように名入れを施す部分としては好ましいのだが、前述した二次元コードの印刷に関しては、クリップの巾が狭いことから、必然的に印刷できる二次元コードの寸法が小さくなってしまい、読み取りに不具合が生じる虞があった。
【先行技術文献】
【特許文献】
【０００４】
【特許文献１】実開平７−１２２８９号公報
【発明の概要】
【発明が解決しようとする課題】
【０００５】
本発明は、筆記具の見やすい位置に二次元コードを設けることを可能とし、且つ読み取りに不具合が生じにくい構造の二次元コード付の筆記具を提供することを目的とする。
【課題を解決するための手段】
【０００６】
ところで最近では、クリップを軸筒の側面に設けた支持部に、前記クリップと前記軸筒との間に介在させた弾発部材によって前記クリップの先端部が前記軸筒の側面に常時弾発するよう装着した構造のクリップ付の筆記具が市場に存在しており、クリップが洗濯ばさみのように厚手の物を挟めることを売りにしていることから、この種の筆記具のクリップは、軸筒と比較しても巾広で存在感が大きいものを付設してあることに注目し、この巾の広いクリップに設けた二次元コードが読み取りやすいものであることを見出し本発明に至った。
【０００７】
すなわち本発明は、
「クリップを軸筒の側面に設けた支持部に、前記クリップと前記軸筒との間に介在させた弾発部材によって前記クリップの先端部が前記軸筒の側面に常時弾発するよう装着した構造のクリップ付の筆記具であって、前記クリップの表面に平坦部を形成し、前記平坦部に二次元コードを設けたことを特徴とする二次元コード付の筆記具。」である。
【０００８】
本発明におけるクリップと軸筒との間に介在させる弾発部材は、板バネや線状バネあるいは発泡ゴムなどの弾発力を有した部材であり、クリップの先端を軸筒の側面に圧接することが可能なものを適宜選択することが可能である。またクリップは、クリップに設ける二次元コードの読み取りやすさを鑑みて、二次元コードを設ける箇所の巾が約９ｍｍ以上であることが好ましく、且つ当該箇所に設ける二次元コードの寸法は、携帯電話における二次元コードの読み取り機能の性能から一辺が約７ｍｍ以上とすることが好ましい。
【発明の効果】
【０００９】
本発明では、筆記具における名入れが見やすい場所であるクリップに、読み取りやすい状態で二次元コードを有する筆記具が提供可能となった。
【図面の簡単な説明】
【００１０】
【図１】図１は本実施例の二次元コード付の筆記具の斜視図である。
【図２】図２は図１の正面図である。
【図３】図３は図２の側面図である。
【図４】図４は比較例の図である。
【発明を実施するための形態】
【００１１】
筆記具における名入れが見やすい場所であるクリップに、読み取りやすい状態で二次元コードを設けてある筆記具を実現した。
【実施例】
【００１２】
次に図面を参照しながら本実施例の説明を行う。図中の同じ部材、同じ部品については、同じ符号としてある。本実施例では筆記具としてスライド繰出式ボールペンを例にあげて述べるが、本発明は以下の実施例に限定されるものではない。
【００１３】
図１から図３に示すようにボールペン１は、前軸筒２と後軸筒３とを連設してあり、後軸筒３の側面に形成した支持部３ａに、クリップ４の側壁４ａに形成した貫通孔４ｂを係止してあり、クリップ４の後端部４ｃ側と後軸筒３との間に介在させたコイルスプリング５によってクリップ４の先端部４ｄが後軸筒４の側面に常時弾発するようにしてある。またボールペン１は、後軸３に形成した摺動孔３ｂから突出させた２つのスライダー６を前後動させることにより、前軸筒２の内部に収容してある筆記体先端部（図示せず）を出没可能としてある。
【００１４】
図２に示すように本実施例では、巾寸法Ｌが９ｍｍであるクリップ４の表面の平坦部４ｅに、正方形の一辺の寸法Ｍが７ｍｍである二次元コード７を印刷してある。この二次元コード７を、携帯電話の二次元コードの読み取り機能を用いて読み取ったところ、二次元コード７に付与してあるホームページのアドレス情報が入手でき、さらに携帯電話のインターネット機能を用いてホームページの閲覧を容易に迅速に行うことができた。
【００１５】
図４の比較例のキャップ式のボールペン１０は、軸筒２０の前方にキャップ３０を装着してあり、巾寸法Ｓが７ｍｍであるクリップ４０に、正方形の一辺の寸法Ｎが５ｍｍである二次元コード７０を印刷してある。この二次元コード７０を、携帯電話の二次元コードの読み取り機能を用いて読み取ったところ、携帯電話の機種によっては二次元コードの認識ができないものがあり、また二次元コード７０に対する携帯電話の角度を注意して読み取りを行わなければいけない場合が多かった。
【産業上の利用可能性】
【００１６】
本発明の二次元コード付の筆記具の構造は、クリップ付の化粧具や塗布具等に採用することも可能である。
【符号の説明】
【００１７】
１…ボールペン、２…前軸筒、
３…後軸筒、３ａ…支持部、３ｂ…摺動孔、
４…クリップ、４ａ…側壁、４ｂ…貫通孔、４ｃ…後端部、
４ｄ…先端部、４ｅ…平坦部、Ｌ…巾寸法、
５…コイルスプリング、
６…スライダー、
７…二次元コード、Ｍ…一辺の寸法、
１０…ボールペン、２０…軸筒、３０…キャップ、
４０…クリップ、Ｓ…巾寸法、
７０…二次元コード、Ｎ…一辺の寸法。
【図１】
2011224887.tif 000003
【図２】
2011224887.tif 000004
【図３】
2011224887.tif 000005
【図４】
2011224887.tif 000006